(57)【特許請求の範囲】
【請求項１】
第１の設備とこの第１の設備とはその種別が異なる第２の設備が各個に設けられた第１〜第Ｎ（Ｎ≧２）のエリアと、この第１〜第Ｎのエリアに対して各個に設けられ自己のエリア内の前記第１および第２の設備の状態を管理する第１〜第Ｎの設備管理装置と、これら設備管理装置と通信回線を介して接続され設備管理装置との間で情報の授受を行う中央監視装置とを備えたリモート管理システムにおいて、
前記第１〜第Ｎの設備管理装置は、
自己のエリア内の前記第１および第２の設備を構成する各種機器の製造メーカ名を含む入力情報よりその設備を構成する各種機器毎にその製造メーカ名を記した属性情報を作成し、この属性情報とその機器の種別とを関連付けた情報を要素モデルとして作成する要素モデル作成手段と、
この要素モデル作成手段によって作成された前記第１の設備の要素モデルの集合を第１の設備モデルとして、前記第２の設備の要素モデルの集合を第２の設備モデルとして作成する設備モデル作成手段とを備え、
前記中央監視装置は、
定期的に、前記第１〜第Ｎの設備管理装置から前記通信回線を介して前記第１の設備モデルおよび前記第２の設備モデルを収集し、これら収集した設備モデルから同一種別の設備モデル同士を対象としてその製造メーカ名が同じ同一種別の機器の要素モデルを抽出し、この抽出した要素モデルの集合を類似要素モデルグループとして作成する類似要素モデルグループ作成手段と、
前記エリア内の前記設備において発生した故障事象を示す情報がその故障原因の機器を指定して管理者からの故障情報として入力された場合、その機器の要素モデルを含む前記類似要素モデルグループを探し出す類似モデル要素グループ探索手段と
を備えることを特徴とするリモート管理システム。
【発明の詳細な説明】
【０００１】
【発明の属する技術分野】
本発明は、インターネットなどの通信回線を介して地理的に離れた場所の各種設備の状態を管理するリモート管理システムに関するものである。
【０００２】
【従来の技術】
従来より、この種のリモート管理システムでは、エリア（例えば、ビル）毎に設備管理装置を設けてそのエリア内の各種設備の状態を管理する一方、これら設備管理装置をインターネットなどの通信回線を介してセンタの中央監視装置と接続し、設備管理装置と中央監視装置との間で情報の授受を行うようにしている。
【０００３】
すなわち、設備管理装置は、エリアＡやエリアＢ内の空調，照明，熱源，防犯などの各種設備の状態を監視したり、これら設備の運転の開始／停止などの操作を行ったりする。中央監視装置は、エリアＡやエリアＢの設備管理装置からの情報を蓄積し、それらを解析して表示したり、エリアＡやエリアＢの設備管理装置へ操作指令を送ったりする。
【０００４】
例えば、エリアＡの空調設備においてある空調機が故障し、その故障原因が送風機にあったとする。この場合、センタでは、例えば中央監視装置の画面上に監視している全てのエリアの空調設備の一覧を表示し、この空調設備の一覧の中から故障した空調機と同種（例えば、製造メーカが同じ）の送風機を使用している空調機を探し出し、これらの空調機についても同じような原因で故障する虞れがあると判断し、その空調機を使用しているエリアの管理者へ同事象の発生の虞れを通知する。通知を受けた管理者は、その空調機の環境条件などがトラブルを起こした空調機と同じ条件にならないように、管理または交換などを行うようにして、トラブルの発生を防ぐ。
【０００５】
しかしながら、従来においては、全てのエリアの空調設備の一覧の中から故障した空調機と同種の送風機を使用している空調機を探し出す作業を蓄積データを確認しながら管理者が行っており、かなりの手間と時間を要していた。
【０００６】
本発明はこのような問題を解決するためになされたもので、その目的とするところは、同じような故障事象が発生する虞れのある機器を簡単に探し出すことの可能なリモート管理システムを提供することにある。
【０００７】
【課題を解決するための手段】
このような目的を達成するために本発明は、第１の設備とこの第１の設備とはその種別が異なる第２の設備が各個に設けられた第１〜第Ｎ（Ｎ≧２）のエリアと、この第１〜第Ｎのエリアに対して各個に設けられ自己のエリア内の第１および第２の設備の状態を管理する第１〜第Ｎの設備管理装置と、これら設備管理装置と通信回線を介して接続され設備管理装置との間で情報の授受を行う中央監視装置とを備えたリモート管理システムにおいて、第１〜第Ｎの設備管理装置に、自己のエリア内の第１および第２の設備を構成する各種機器の製造メーカ名を含む入力情報よりその設備を構成する各種機器毎にその製造メーカ名を記した属性情報を作成し、この属性情報とその機器の種別とを関連付けた情報を要素モデルとして作成する要素モデル作成手段と、この要素モデル作成手段によって作成された第１の設備の要素モデルの集合を第１の設備モデルとして、第２の設備の要素モデルの集合を第２の設備モデルとして作成する設備モデル作成手段とを設け、中央監視装置に、定期的に、第１〜第Ｎの設備管理装置から通信回線を介して第１の設備モデルおよび第２の設備モデルを収集し、これら収集した設備モデルから同一種別の設備モデル同士を対象としてその製造メーカ名が同じ同一種別の機器の要素モデルを抽出し、この抽出した要素モデルの集合を類似要素モデルグループとして作成する類似要素モデルグループ作成手段と、第１〜第Ｎのエリア内の設備において発生した故障事象を示す情報がその故障原因の機器を指定して管理者からの故障情報として入力された場合、その機器の要素モデルを含む類似要素モデルグループを探し出す類似モデル要素グループ探索手段とを設けたものである。
【０００８】
この発明によれば、第１〜第Ｎの設備管理装置において、第１および第２の設備を構成する各種機器の製造メーカ名を含む入力情報よりその設備を構成する各種機器毎にその製造メーカ名を記した属性情報が作成され、この作成された属性情報とその機器の種別とを関連付けた情報が要素モデルとして作成され、この作成された第１の設備の要素モデルの集合が第１の設備モデルとして、第２の設備の要素モデルの集合が第２の設備モデルとして作成される。中央監視装置は、定期的に、第１〜第Ｎの設備管理装置から通信回線を介して第１の設備モデルおよび第２の設備モデルを収集し、これら収集した設備モデルから同一種別の設備モデル同士を対象としてその製造メーカ名が同じ同一種別の機器の要素モデルを抽出し、その抽出した要素モデルの集合を類似要素モデルグループとして作成する。また、中央監視装置は、第１〜第Ｎのエリア内の設備において発生した故障事象を示す情報がその故障原因の機器を指定して管理者からの故障情報として入力された場合、その機器の要素モデルを含む類似要素モデルグループを探し出す。
【０００９】
【発明の実施の形態】
以下、本発明を実施の形態に基づき詳細に説明する。図２はこの発明の一実施の形態を示すリモート管理システムのシステム構成図である。同図において、１ＡはエリアＡに設けられた設備管理装置、１ＢはエリアＢに設けられた設備管理装置、２はセンタに設けられた中央監視装置、３は通信回線（インターネット）である。
【００１０】
設備管理装置１Ａ，１Ｂと中央監視装置２とはインターネット３を介して接続されている。設備管理装置１Ａは、エリアＡ内の空調設備４Ａ，照明設備５Ａ，熱源設備６Ａ，防犯設備７Ａなどの各種設備の状態を監視したり、これら設備の運転の開始／停止などの操作を行ったりする。
【００１１】
設備管理装置１Ｂは、エリアＢ内の空調設備４Ｂ，照明設備５Ｂ，熱源設備６Ｂ，防犯設備７Ｂなどの各種設備の状態を監視したり、これら設備の運転の開始／停止などの操作を行ったりする。
中央監視装置２は、設備管理装置１Ａや設備管理装置１Ｂからの情報を蓄積し、それらを解析して表示したり、設備管理装置１Ａや設備管理装置１Ｂへ操作指令を送ったりする。
【００１２】
図１Ａに設備管理装置１Ａの要部構成を示す。設備管理装置１Ａは制御部１Ａ１と表示部１Ａ２と記憶部１Ａ３を備えている。制御部１Ａ１には、空調設備４Ａや照明設備５Ａ，熱源設備６Ａ，防犯設備７Ａに設けられた環境計測センサ（図示せず）から、温度，湿度，圧力などの環境データ、流量，電流，電圧，振動数，回転数，稼働率，稼働時間，稼働回数などの計測データ（運転データや稼働データ）が与えられる。また、設備毎に、設計仕様（製品名，メーカ名など），製作仕様，材質，形状，性能，精度，位置情報などの設備固有のデータ、使用目的，設置目的，目標，人の出入り，人為的操作の可能性などの設備の性格情報が入力される。
【００１３】
制御部１Ａ１は、環境データ，計測データ，設備固有のデータおよび設備の性格情報に基づき設備の各種構成要素ごとの要素モデルを作成し、この要素モデルの集合をその設備の設備モデルとし、この設備モデルを各種設備毎に作成し、記憶部１Ａ３に格納する。
【００１４】
例えば、空調設備４Ａで説明すると、空調設備４Ａは空調機を多数備えている。この空調機を「空調機１」〜「空調機ｎ」とすれば、「空調機１」〜「空調機ｎ」はそれぞれ送風機やダンパ，コイルなどから構成されている。制御部１Ａ１は、「空調機１」〜「空調機ｎ」や「空調機１」〜「空調機ｎ」の送風機，ダンパ，コイルなどを空調設備４Ａの構成要素とし、空調設備４Ａの環境データ，計測データ，設備固有のデータおよび設備の性格情報に基づき属性や履歴情報を構成要素毎に作成し、この属性や履歴情報を構成要素に関連付けて要素モデルＥＭＡ１とする（図３参照）。そして、これら要素モデルＥＭＡ１の集合を空調設備モデルＭＡ１とし、記憶部１Ａ３に格納する。
【００１５】
同様にして、制御部１Ａ１は、照明設備５Ａの要素モデルＥＭＡ２の集合として照明設備モデルＭＡ２を作成し、熱源設備６Ａの要素モデルＥＭＡ３の集合として熱源設備モデルＭＡ３を作成し、防犯設備７Ａの要素モデルＥＭＡ４の集合として防犯設備モデルＭＡ４を作成し、記憶部１Ａ３に格納する。
【００１６】
設備管理装置１Ｂも設備管理装置１Ａと同様に制御部１Ｂ１と表示部１Ｂ２と記憶部１Ｂ３を備えており、制御部１Ｂ１は、空調設備４Ｂの要素モデルＥＭＢ１の集合として空調設備モデルＭＢ１を作成し、照明設備５Ｂの要素モデルＥＭＢ２の集合として照明設備モデルＭＢ２を作成し、熱源設備６Ｂの要素モデルＥＭＢ３の集合として熱源設備モデルＭＢ３を作成し、防犯設備７Ｂの要素モデルＥＭＢ４の集合として防犯設備モデルＭＢ４を作成し、記憶部１Ｂ３に格納する。
【００１７】
図１Ｂに中央監視装置２の要部構成を示す。中央監視装置２は制御部２１と表示部２２と記憶部（第１の記憶部）２３と記憶部（第２の記憶部）２４を備えている。制御部２１は、インターネット３を介してエリアＡの設備管理装置１ＡおよびエリアＢの設備管理装置１Ｂに定期的にアクセスし、記憶部１Ａ３，１Ｂ３に格納されている空調設備モデルＭＡ１，ＭＢ１、照明設備モデルＭＡ２，ＭＢ２、熱源設備モデルＭＡ３，ＭＢ３、防犯設備モデルＭＡ４，ＭＢ４を収集し、記憶部２３に一旦格納する。
【００１８】
そして、制御部２１は、記憶部２３に格納した空調設備モデルＭＡ１，ＭＢ１、照明設備モデルＭＡ２，ＭＢ２、熱源設備モデルＭＡ３，ＭＢ３、防犯設備モデルＭＡ４，ＭＢ４から類似する要素モデルを抽出し、抽出した要素モデルの集合を類似要素モデルグループとして記憶部２４に格納する。
【００１９】
例えば、空調設備モデルＭＡ１，ＭＢ１で説明すると、空調設備モデルＭＡ１，ＭＢ１の要素モデルＥＭＡ１，ＥＭＢ１から製造メーカが同じ空調機の要素モデルを抽出し、この抽出した空調機の要素モデルを集合して類似要素モデルグループＧＫ１を作成し、記憶部２４に格納する。同様にして、製造メーカが同じ送風機の要素モデルを集合して要素モデルグループＧＫ２を、製造メーカが同じダンパの要素モデルを集合して要素モデルグループＧＫ３を、製造メーカが同じコイルの要素モデルを集合して要素モデルグループＧＫ４をというように、類似要素モデルグループを作成して記憶部２４に格納する。
【００２０】
今、エリアＡ内の空調設備４Ａにおいて「空調機１」が故障し、その故障原因が送風機にあったとする。この場合、センタにおいて管理者は、中央監視装置２の制御部２１に『送風機を故障原因として「空調機１」が故障した』旨の故障情報を入力する。すなわち、故障事象が生じた構成要素として、『「空調機１」の送風機』を指定する。中央監視装置２の制御部２１は、故障事象の発生構成要素として『「空調機１」の送風機』が指定されると、記憶部２４に格納されている類似要素モデルグループの中から『「空調機１」の送風機』が含まれる類似要素モデルグループを探し出し、この類似要素モデルグループ中の要素モデルを表示部２２に表示する。
【００２１】
ここで、類似要素モデルグループＧＫ２に『「空調機１」の送風機』の要素モデルが含まれているものとすれば、この類似要素モデルグループＧＫ２中の要素モデルが表示部２２に表示される。すなわち、故障事象の発生構成要素として『「空調機１」の送風機』を指定すると、故障事象が発生した送風機と同じ製造メーカの送風機の要素モデルが表示部２に全て表示される。これにより、管理者は、エリアＡやＢにおいて同じような事象が発生する虞れのある送風機を即座に知ることができ、この送風機を含む空調機を使用しているエリアの管理者へ同事象の発生の虞れを速やかに通知することが可能となる。
【００２２】
なお、制御部２１に同事象の発生の虞れを自動的に通知する機能を持たせ、故障事象の発生構成要素が指定された場合、記憶部２４中よりその構成要素の要素モデルを含む類似要素モデルグループを探し出し、その類似要素モデルグループ中の要素モデルを含む設備モデルの作成元の設備管理装置へ同事象の発生の虞れを通知させるようにしてもよい。
【００２３】
本実施の形態において、中央監視装置２は、設備管理装置１Ａや１Ｂに定期的にアクセスし、記憶部１Ａ３や１Ｂ３に格納されている各種設備の設備モデルを収集している。これにより、中央監視装置２では、定期的に、類似要素モデルグループのグループ分けが最新のデータに基づいて行われるものとなる。すなわち、設備管理装置１Ａや１Ｂにおいて、環境データや計測データ，設備固有のデータ，設備の性格情報が変わって要素モデルに変化が生じ、前回の類似判断基準から外れれば、その変化した要素モデルは他の類似要素モデルグループに含まれるものとなる。
【００２４】
上述した実施の形態では、中央監視装置２に記憶部２３を設け、この記憶部２３に設備管理装置１Ａや１Ｂから収集した空調設備モデルＭＡ１，ＭＢ１、照明設備モデルＭＡ２，ＭＢ２、熱源設備モデルＭＡ３，ＭＢ３、防犯設備モデルＭＡ４，ＭＢ４を一旦格納するようにしたが、格納せずに、直ちに類似する要素モデルをグループ分けして記憶部２４に格納するようにしてもよい。
【００２５】
また、上述した実施の形態では、設備を空調設備や照明設備，熱源設備，防犯設備として説明したが、これらの設備に限られるものではない。例えば、工場やプラント，研究施設における各種の設備としたり、コンビニエンスストアなどの設備としたりするなど、あらゆる分野に応用することが可能である。
【００２６】
〔産業上の利用可能性〕
以上のように、本発明にかかるリモート管理システムは、空調設備や照明設備，熱源設備，防犯設備、工場やプラント，研究施設における各種の設備、コンビニエンスストアなどの設備などのリモート管理に適している。
【００２７】
【発明の効果】
以上説明したことから明らかなように本発明によれば、第１〜第Ｎの設備管理装置に、要素モデル作成手段（自己のエリア内のその種別が異なる第１および第２の設備を構成する各種機器の製造メーカ名を含む入力情報よりその設備を構成する各種機器毎にその製造メーカ名を記した属性情報を作成し、この属性情報とその機器の種別とを関連付けた情報を要素モデルとして作成する手段）と、設備モデル作成手段（第１の設備の要素モデルの集合を第１の設備モデルとして、第２の設備の要素モデルの集合を第２の設備モデルとして作成する手段）とを設け、中央監視装置に、類似要素モデルグループ作成手段（定期的に、第１〜第Ｎの設備管理装置から通信回線を介して第１の設備モデルおよび第２の設備モデルを収集し、これら収集した設備モデルから同一種別の設備モデル同士を対象としてその製造メーカ名が同じ同一種別の機器の要素モデルを抽出し、この抽出した要素モデルの集合を類似要素モデルグループとして作成する手段）と、類似モデル要素グループ探索手段（第１〜第Ｎのエリア内の設備において発生した故障事象を示す情報がその故障原因の機器を指定して管理者からの故障情報として入力された場合、その機器の要素モデルを含む類似要素モデルグループを探し出す手段）とを設けたので、第１〜第Ｎのエリア内の設備において発生した故障事象を示す情報がその故障原因の機器を指定して管理者からの故障情報として入力された場合、その指定された機器の要素モデルを含む類似要素モデルグループが探し出されるものとなり、同じような故障事象が発生する虞れのある機器を簡単に探し出すことが可能となる。
【図面の簡単な説明】
【図１Ａ】  図２に示した設備管理装置の要部構成を示す図である。
【図１Ｂ】  図２に示した中央監視装置の要部構成を示す図である。
【図２】  本発明の一実施の形態を示すリモート管理システムのシステム構成図である。
【図３】  空調設備の要素モデルを例示する図である。
【符号の説明】
１Ａ，１Ｂ…設備管理装置、２…中央監視装置、３…通信回線（インターネット）、４Ａ，４Ｂ…空調設備、５Ａ，５Ｂ…照明設備、６Ａ，６Ｂ…熱源設備、７Ａ，７Ｂ…防犯設備、１Ａ１，１Ｂ１…制御部、１Ａ２，１Ｂ２…表示部、１Ａ３，１Ｂ３…記憶部、ＭＡ１，ＭＢ１…空調設備モデル、ＭＡ２，ＭＢ２…照明設備モデル、ＭＡ３，ＭＢ３…熱源設備モデル、ＭＡ４，ＭＢ４…防犯設備モデル、ＥＭA1〜ＥＭA4，ＥＭB1〜ＥＭB4…要素モデル、２１…制御部、２２…表示部、２３，２４…記憶部。
【図１Ａ】
0004435460.tif 000002
【図１Ｂ】
0004435460.tif 000003
【図２】
0004435460.tif 000004
【図３】
0004435460.tif 000005